(57)【要約】      （修正有）【課題】遠心ファン部の吸込効率及びモータ部の効率を向上させることができると共に、この遠心ファン部から発生して外部に漏れる騒音を低減させることができる電気掃除機を提供する。【解決手段】掃除機本体１の前部に集塵室５を形成し、掃除機本体１の後部に送風機室１３及び電源部品室（コードリール室１４）を並設し、前記集塵室１３に吸込負圧を作用させる電動送風機１８を前記送風機室１３に配設し、前記電動送風機１８に電力を供給する電源部品（コードリール３４，電源コード３５）を前記電源部品室（コードリール室１４）に配設すると共に、前記電動送風機１８は遠心ファン部１９と遠心ファン部１９を駆動するモータ部２０を備えている。しかも、前記遠心ファン部１９に吸い込まれる空気を前記モータ部２０と電源部品室（コードリール室１４）との間の後方に向けて排気する排気口３３を前記電動送風機１８に設けた。【選択図】  図４
2006204422.tif 000002
【特許請求の範囲】
【請求項１】
掃除機本体の前部に集塵室が形成され、掃除機本体の後部に送風機室及び電源部品室が並設され、前記集塵室に吸込負圧を作用させる電動送風機が前記送風機室に配設され、前記電動送風機に電力を供給する電源部品が前記電源部品室に配設されていると共に、前記電動送風機は前記集塵室の空気を吸い込ませる遠心ファン部と遠心ファン部を駆動するモータ部を備える電気掃除機であって、
前記遠心ファン部に吸い込まれる空気を前記モータ部と電源部品室との間に後方に向けて排気する排気口が前記電動送風機に設けられていることを特徴とする電気掃除機。
【請求項２】
前記電源部品室はコードリール室であり、前記電源部品は電源コードが捲回され且つ前記コードリール室に配設されたコードリールであることを特徴とする請求項１に記載の電気掃除機。
【請求項３】
前記電源部品室はバッテリ室であり、前記電源部品は前記電源部品室に配設されたバッテリであることを特徴とする請求項１に記載の電気掃除機。
【発明の詳細な説明】
【技術分野】
【０００１】
この発明は、電動送風機の排気効率を向上させた電気掃除機に関するものである。
【背景技術】
【０００２】
従来から電気掃除機の電動送風機は、遠心ファン部とこの遠心ファン部を駆動するモータ部を有し、遠心ファン部から吸い込んだ空気をモータ部内を流して冷却した後、この空気をモータ部の排気口から排出するようにしている。
【０００３】
この電動送風機では、遠心ファン部からの空気はモータ部内の狭い空間を方向を変えながら流れるため、風路損が生じ、電動送風機の吸込効率が悪いものであった。
【０００４】
これを解消するものとして、遠心ファン部の周面に周方向に等ピッチで多数の排気口を形成して、遠心ファン部に吸い込まれた空気をファンケースの多数の排気口から半径方向に排気するようにすると共に、モータ部内に冷却ファンを設けて、冷却用の空気をモータ部の底面から吸い込むようにしたものが知られている（例えば、特許文献１参照）。
【特許文献１】特開平１１−１８２４９８号公報
【発明の開示】
【発明が解決しようとする課題】
【０００５】
しかしながら、この電動送風機では、遠心ファン部のファンケースに周面に開口する排気口を設けて、遠心ファン部に吸い込まれた空気をファンケースの多数の排気口から半径方向に排気するようにすることにより、集塵室に吸込負圧を作用させる遠心ファン部の吸込効率を向上させても、遠心ファン部とは別のモータ部で駆動される冷却ファンを設けているので、モータ部の効率が低下するものであった。
【０００６】
また、この電動送風機では、遠心ファン部に吸い込んだ空気をファンケースの周面から半径方向に排気するようにしているので、遠心ファン部に吸い込まれる空気の風切音等の騒音が遠心ファン部の略半径方向全体に伝播するものであった。
【０００７】
一方、電気掃除機の本体ケースには、電動送風機が配設された送風機室の壁部に騒音が外部に漏れやすい部分がある。このため、遠心ファン部に吸い込まる空気の風切音等の騒音が遠心ファン部の略半径方向全体に伝播した場合、この騒音が外部に漏れて好ましくない。
【０００８】
従って従来は、送風機室の内面全体に消音材を貼り付けたり、電動送風機を覆う筒状のカバーを送風機室内に配設し、このカバーに消音材を貼り付けたりして、電動送風機からの騒音を消音するようにしていた。
【０００９】
この結果、送風機室が大きくなるために本体ケースが大きくなると共に、消音材を設けた分だけコスト高になるという問題があった。
【００１０】
そこで、この発明は、遠心ファン部の吸込効率及びモータ部の効率を向上させることができると共に、この遠心ファン部から発生して外部に漏れる騒音を低減させることができる電気掃除機を提供することを目的とするものである。
【課題を解決するための手段】
【００１１】
この目的を達成するため、請求項１の発明は、掃除機本体の前部に集塵室が形成され、掃除機本体の後部に送風機室及び電源部品室が並設され、前記集塵室に吸込負圧を作用させる電動送風機が前記送風機室に配設され、前記電動送風機に電力を供給する電源部品が前記電源部品室に配設されていると共に、前記電動送風機は前記集塵室の空気を吸い込ませる遠心ファン部と遠心ファン部を駆動するモータ部を備える電気掃除機であって、前記遠心ファン部に吸い込まれる空気を前記モータ部と電源部品室との間に後方に向けて排気する排気口が前記電動送風機に設けられている電気掃除機としたことを特徴とする。
【発明の効果】
【００１２】
この構成によれば、遠心ファン部に吸い込まれる空気の一部はモータ部と電源部品室の隔壁との間に後方に向けて排気され、残りの空気がモータ部を冷却して排気されるので、遠心ファン部の吸込効率が向上すると共に、モータ部の冷却も効率を低下させることなく行うことができる。
【００１３】
しかも、遠心ファン部に吸い込まれる空気の一部はモータ部と電源部品室との間に後方に向けて排気されるので、この空気と共に漏れる遠心ファン部の風切音等の騒音はモータ部と電源部品室の隔壁との間で反射して、騒音のエネルギーが吸収される。これにより、この騒音が本体ケースの外部に漏れても、漏れる騒音の音量は低減されることになる。
【発明を実施するための最良の形態】
【００１４】
[構成]
以下、この発明の実施の形態を図面に基づいて説明する。
【００１５】
図１，図２において、１は電気掃除機の掃除機本体、２は掃除機本体１の本体ケースである。この本体ケース２は、上方に開放する下ケース３と、下ケース３の後部上方に取り付けられた上ケース４を有する。
【００１６】
そして、この下ケース３の前部内には、図１，図３に示したように上方に開口する集塵室５が形成されている。しかも、この集塵室５は、上部開口端が図１，図２に示した集塵蓋６で開閉可能に設けられている。尚、集塵蓋６は、上ケース４の前端部に後端部を中心に上下回動可能（上下に開閉可能）に取り付けられている。
【００１７】
この集塵室５内には図１，図３に示したように紙パックフィルタ等の集塵フィルタ（集塵袋）７が配設されている。この集塵フィルタ７は図３に示したように口枠７ａを有し、この口枠７ａは集塵室５の前壁５ａに図示を省略した保持手段で着脱可能に取り付けられている。そして、下ケース３の前端部には、口枠７ａの図示しない接続口に連通するホース接続口８が形成されている。
【００１８】
図１において、ホース接続口８には集塵ホース９の一端部に取り付けた接続筒９ａが着脱可能に嵌着されている。この接続筒９ａは集塵フィルタ７に接続されている。この集塵ホース９の他端部には手元操作パイプ１０が取り付けられ、手元操作パイプ１０には延長管（延長パイプ）１１を介して吸込口体１２が接続されている。尚、吸込口体１２は、下面に図示しない吸込開口を有する。
【００１９】
また、図１において、１０ａは手元操作パイプ１０に設けられた操作パネルである。この操作パネル１０ａには、「弱／中」吸込風量切り替え用のスイッチＳ１と、「強」吸込風量用のスイッチＳ２と、「切り」用のスイッチＳ３等が設けられている。
【００２０】
更に、本体ケース１の後部内には、図３，図４に示したように送風機室１３及びコードリール室（電源部品室）１４が幅方向に並設されている。１５は送風機室１３とコードリール室（電源部品室）１４とを区画している隔壁（仕切壁）である。尚、図１では、図示の便宜上、図３に示したコードリール室１４の図示を省略している。
【００２１】
また、図２に示したように上ケース４の後壁４ａには、送風機室１３と外気を連通させる多数の排気口１６が形成されている。１７は後壁４ａに取り付けられた排気フィルタである。そして、送風機室１３内には、図２〜図４に示したように電動送風機１８が配設されている。
（電動送風機１８）
この電動送風機１８は、図１〜図３，図５に示すように遠心ファン部１９と、遠心ファン部１９を駆動するモータ部（電動部）２０を有する。
【００２２】
このモータ部２０は、有底筒状のモータケース２０ａと、モータケース２０ａの開口端に外方に向けて形成された幅広のフランジ２０ｂと、フランジ２０ｂの周縁に折り返すように連設された筒状部２０ｃと、筒状部２０ｃの外端に連設された小幅のフランジ２０ｄと、モータケース２０ａの底壁２０ｅと、底壁２０ｅの中央部に設けられた軸受筒部２０ｅ１を有する。
【００２３】
また、モータ部２０は、モータケース２０ａの開口端の中央部を跨ぐようにして両端がフランジ２０ｂに固定された細幅の板状フレーム２１と、板状フレーム２１に取り付けられた整流板２２と、軸受筒部２０ｅ１と板状フレーム２１に回転自在に保持されたロータ軸（回転出力軸）２３を有する。尚、整流板２２は、遠心ファン部１９内に吸い込まれた空気を図５に矢印Ａ０で示したように周縁部で整流してモータ部２０内に導く風路（図示せず）を有する。この整流板２２の構造には周知の構造を採用できるので、その説明を省略する。
【００２４】
２４はモータケース２０ａに固定されたステータ（固定子）、２５はロータ軸２３と一体のロータ（回転子）、２６はロータ軸２３と一体のコミュンテータ（整流子）、２７はコミュンテータ２６に摺接するカーボンブラシ、２８はモータケース２０ａの周面に開口する排気穴である。
【００２５】
また、遠心ファン部１９は、図５に示したようにファンケース２９と、このファンケース２９内に回転自在に配設された遠心ファン本体３０を有する。このファンケース２９は、一端部内にモータ部２０のフランジ２０ｄが嵌着された筒状部２９ａと、筒状部２９ａの他端に設けられた端壁２９ｂと、端壁２９ｂの中央部に設けられた吸込口２９ｃを有する。
【００２６】
尚、ロータ軸２３の一端部は、板状フレーム２１及び整流板２２を貫通して、ファンケース２９内に突出している。そして、このロータ軸２３の一端部には、遠心ファン本体３０が取り付けられている。
【００２７】
このような電動送風機１８のファンケース２９は下ケース３と上ケース４の前端部との間に防振ゴム３１を介して保持され、モータ部２０の軸受筒部２０ｅ１は下ケース３に支持板３ａと上ケース４の支持板４ｂとの間に防振ゴム３２を介して保持されている。しかも、電動送風機１８の吸込口２９ｃは、上述した集塵室５に図示を省略した二次フィルタ（細塵フィルタ）等を介して連通させられている。
【００２８】
さらに、モータ部２０の幅広のフランジ２０ｂには、図４，図６に示したように、複数の排気口３３が形成されている。この排気口３３は、送風機室１３とコードリール室１４を区画する隔壁（仕切壁）１５側に位置させられている。しかも、排気口３３は、図４に示したように送風機室１３の底壁１３ｂ側に設けられている。
【００２９】
また、図３，図４に示したようにコードリール室（電源部品室）１４内には、コードリール（電源部品）３４が回転自在に且つ電源コード（電源部品）３５を巻き取る方向に捲回されている。この電源コード３５は、図示しない電源回路を介して電動送風機１８のモータ部２０に電力を供給するようになっている。
[作用]
次に、このような構成の電気掃除機の作用を説明する。
【００３０】
図１の電源コード３５のプラグ３５ａを商用電源のコンセント（図示せず）に差し込んで、手元操作パイプ１０に設けられたスイッチＳ１又はＳ２を入れると、電動送風機１８の電動部２０に電力が供給される。これにより、電動部２０のロータ軸２３が回転駆動させられ、このロータ軸２３に取り付けた遠心ファン本体３０が回転させられる。この回転により、電動送風機１８の吸込口２９ｃに吸込負圧が発生する。
【００３１】
この吸込負圧は、図示を省略した二次フィルタ（細塵フィルタ）を介して集塵室５に作用した後、集塵フィルタ７，集塵ホース９，手元操作パイプ１０，延長管１１を介して吸込口体１２の吸込室（図示せず）に作用する。
【００３２】
この吸込負圧によって吸込口体１２の底面に設けた吸込室の吸込開口から被清掃面上の塵埃及び空気が吸い込まれる。この吸い込まれた塵埃及び空気は、延長管１１，手元操作パイプ１０，集塵ホース９，及び集塵フィルタ７を介して集塵室５へ吸い込まれる。
【００３３】
この際、塵埃は集塵室５内に配設された集塵フィルタ７に捕集され、空気は図示を省略した二次フィルタ（細塵フィルタ）を介して電動送風機１８の吸込口２９ｃからファンケース２９内の遠心ファン本体３０に吸い込まれる。この遠心ファン本体３０は、吸い込んだ空気を周縁部から整流板２２の周縁部に向けて吐出する。この整流板２２は、遠心ファン本体３０の周縁部から吐出される空気を整流して、整流板２２とフランジ２０ｂとの間の空間Ｓ側に導くことになる。
【００３４】
この空間Ｓに導かれた空気の一部は、排気口３３から送風機室１３のモータ部２０とコードリール室１４側の隔壁１５との間及びモータ部２０と送風機室１３の底壁１３ｂとの間に後方に向けて排気される。一方、空間Ｓに導かれた空気の残りがモータ部２０内を冷却して排気穴２８から送風機室１３内に排気される。このようにして、送風機室１３内に排気された空気は排気フィルタ１７及び排気口１６を介して大気中（本体ケース２外）に排気される。
【００３５】
ところで、例えば遠心ファン部１９の吸込口２９ｃから空気が吸い込まれるときや、遠心ファン本体３０の周縁部から空気が吐出されるときに風切音等の騒音が発生する。この騒音の一部は、空間Ｓに導かれた空気の一部が排気口３３から送風機室１３のモータ部２０とコードリール室１４側の隔壁１５との間及びモータ部２０と送風機室１３の底壁１３ｂとの間に後方に向けて排気される際、この空気と共にモータ部２０と隔壁１５及び底壁１３ｂとの間に漏れる。
【００３６】
この漏れた騒音は、モータ部２０と隔壁１５及び底壁１３ｂとの間で反射する際にエネルギーが吸収されるので、本体ケース２の外部に漏れても、音量は低減されることになる。
【００３７】
また、このように遠心ファン部１９に吸い込まれた空気は一部がモータ部２０内に導かれることなく排気口３３から排気されるので、モータ部２０内の風路損による遠心ファン部１９の吸込効率の低下を少なくして、吸込効率を向上させることができる。
【００３８】
一方、遠心ファン部１９に吸い込まれた空気の残りをモータ部２０内に導いて、モータ部２０内を冷却するようにしているので、モータ部の冷却も効率を低下させることなく行うことができる。
【００３９】
以上説明したように、この発明の実施の形態の電気掃除機は、掃除機本体１の前部に集塵室５が形成され、掃除機本体１の後部に送風機室１３及び電源部品室（コードリール室１４）が並設され、前記集塵室５に吸込負圧を作用させる電動送風機１８が前記送風機室１３に配設され、前記電動送風機１８に電力を供給する電源部品（コードリール３４，電源コード３５）が前記電源部品室（コードリール室１４）に配設されていると共に、前記電動送風機１８は前記集塵室５の空気を吸い込ませる遠心ファン部１９と遠心ファン部１９を駆動するモータ部２０を備えている。しかも、前記遠心ファン部１９に吸い込まれる空気を前記モータ部２０と電源部品室（コードリール室１４）との間に後方に向けて排気する排気口３３が前記電動送風機１８に設けられている。
【００４０】
この構成によれば、遠心ファン部１９に吸い込まれる空気の一部はモータ部２０と電源部品室（コードリール室１４）の隔壁１５との間に後方に向けて排気され、残りの空気がモータ部２０内を冷却して排気されるので、遠心ファン部１９の吸込効率が向上すると共に、モータ部２０の冷却も効率を低下させることなく行うことができる。
【００４１】
しかも、遠心ファン部１９に吸い込まれる空気の一部はモータ部２０と電源部品室（コードリール室１４）の隔壁１５との間に後方に向けて排気されるので、この空気と共に漏れる遠心ファン部の風切音等の騒音はモータ部２０と電源部品室（コードリール室１４）の隔壁１５との間で反射して、騒音のエネルギーが吸収される。これにより、この騒音が本体ケース２の外部に漏れても、漏れる騒音の音量は低減されることになる。
【００４２】
また、以上説明した実施例では、電源部品室をコードリール室１４とした例を示したが、必ずしもこれに限定されるものではない。このコードリール室１４にかえてバッテリ室を電源部品室として設け、このバッテリ室に電動送風機１８に電力を供給するバッテリを内蔵させても良い。
【図面の簡単な説明】
【００４３】
【図１】この発明にかかる電気掃除機の概略斜視図である。
【図２】図１の掃除機本体の一部を破断して示した側面図である。
【図３】図２の集塵蓋及び上ケースを取り外した状態で下ケースを見た平面図である。
【図４】図３の送風機室とコードリール室を掃除機本体の後方から見た説明図である。
【図５】図４のＡ１−Ａ１線に沿う断面図である。
【図６】図４のＡ２−Ａ２線に沿う断面図である。
【符号の説明】
【００４４】
１…掃除機本体
５…集塵室
１３…送風機室
１４…コードリール室（電源部品室）
１８…電動送風機
１９…遠心ファン部
２０…モータ部
３３…排気口
３４…コードリール（電源部品）
３５…電源コード（電源部品）
【図１】
2006204422.tif 000003
【図２】
2006204422.tif 000004
【図３】
2006204422.tif 000005
【図４】
2006204422.tif 000006
【図５】
2006204422.tif 000007
【図６】
2006204422.tif 000008